(57)【要約】【課題】放熱性に優れ、大光束化に対応可能であり、全方位配光を実現する高効率のランプを提供する。【解決手段】ランプ１Ｇは、発光素子（ＬＥＤ光源５）を実装した側面光源基板４を有する複数の側面光源部３と、発光素子を実装した端面光源基板１１を有する端面光源部１０と、を備え、端面光源部１０は、端面光源基板１１の発光素子側の面をランプ１Ｇの先端側に向けて、ランプ１Ｇの先端部に配置され、複数の側面光源部３は、側面光源基板４の発光素子側の面をランプ１Ｇの外周側に向けて、ランプ１Ｇの周方向に等間隔に配置され、各々の側面光源部３は、ランプ１Ｇの中心線の方向の長さが、それと直交する方向の長さに比べて長い形状をなし、隣り合う側面光源部３の間に、空気の流路となる隙間１７を備える。【選択図】図１
2015079744.tif 000002
【特許請求の範囲】
【請求項１】
発光素子を実装した側面光源基板を有する複数の側面光源部と、
発光素子を実装した端面光源基板を有する端面光源部と、
を備え、
前記端面光源部は、前記端面光源基板の前記発光素子側の面をランプの先端側に向けて、前記ランプの先端部に配置され、
前記複数の側面光源部は、前記側面光源基板の前記発光素子側の面を前記ランプの外周側に向けて、前記ランプの周方向に等間隔に配置され、
各々の前記側面光源部は、前記ランプの中心線の方向の長さが、それと直交する方向の長さに比べて長い形状をなし、
隣り合う前記側面光源部の間に、空気の流路となる隙間を備えるランプ。
【請求項２】
前記側面光源基板に実装された前記発光素子で発生した熱を放熱させる側面基板放熱体と、
前記端面光源基板に実装された前記発光素子で発生した熱を放熱させる端面基板放熱体と、
を備える請求項１記載のランプ。
【請求項３】
前記側面光源部と前記端面光源部との間に、空気の流路となる隙間を備える請求項１または２記載のランプ。
【請求項４】
前記側面光源基板と前記中心線とのなす角度が鋭角であり、前記ランプの基端側に向かって、前記側面光源基板と前記中心線との距離が拡大する請求項１から請求項３の何れか１項記載のランプ。
【請求項５】
前記ランプの基端側に向かって、隣り合う前記側面光源部間の前記隙間が拡大する請求項４記載のランプ。
【請求項６】
前記側面光源基板と前記中心線とのなす角度が５°〜３０°である請求項４または５記載のランプ。
【請求項７】
前記側面光源基板と前記中心線とがほぼ平行である請求項１から請求項３の何れか１項記載のランプ。
【請求項８】
口金が装着された口金装着部と、
一端が前記端面光源部に固定され、他端が前記口金装着部に固定された支柱と、
を備え、
前記支柱は、前記口金装着部から前記端面光源部へ給電する給電線を通す中空部を有する請求項１から請求項７の何れか１項記載のランプ。
【請求項９】
各々の前記側面光源部は、当該側面光源部のすべての前記発光素子を覆い、透光性及び防水防湿性を有するカバーを備え、
前記端面光源部は、前記端面光源部のすべての前記発光素子を覆い、透光性及び防水防湿性を有するカバーを備える請求項１から請求項８の何れか１項記載のランプ。
【請求項１０】
前記側面光源部から前記ランプの基端側に放射される光成分を前記ランプの先端側または外周側へ反射させる反射体を備える請求項１から請求項９の何れか１項記載のランプ。
【請求項１１】
前記中心線の方向から見て、前記複数の側面光源部のすべての前記発光素子が、前記端面光源部の外縁より外側に位置する請求項１から請求項１０の何れか１項記載のランプ。
【請求項１２】
前記側面光源部の前記発光素子と、前記端面光源部の前記発光素子とが同型であり、
前記側面光源部の前記発光素子の駆動条件と、前記端面光源部の前記発光素子の駆動条件とを異にする請求項１から請求項１１の何れか１項記載のランプ。
【請求項１３】
前記端面基板放熱体は、前記端面光源部の中心側から外周側へ放射状に延びる放熱フィンを有し、該放熱フィンは、前記端面光源基板の外周側まで延び、前記端面光源基板の外周側から前記ランプの先端方向へ立ち上がる立ち上げ部分を有する請求項２記載のランプ。
【請求項１４】
前記側面光源部の長手方向に垂直な方向の前記側面光源部の幅が、前記側面光源部の長手方向の中央部分から両端に向かって小さくなる請求項１から請求項７の何れか１項記載のランプ。
【請求項１５】
複数の前記側面光源部の基端部を支持する基端側支持体と、
複数の前記側面光源部の先端部を支持する先端側支持体と、
を備える請求項１から請求項７の何れか１項記載のランプ。
【請求項１６】
口金が装着された口金装着部を備え、前記基端側支持体と前記口金装着部とが一体化している請求項１５記載のランプ。
【請求項１７】
前記基端側支持体と前記先端側支持体との間に、空気が通過可能な空間を有する請求項１５記載のランプ。
【請求項１８】
前記基端側支持体と前記先端側支持体とを連結固定する支柱を備える請求項１５記載のランプ。
【請求項１９】
前記基端側支持体と前記先端側支持体とが複数の前記側面光源部のみを介して連結固定されている請求項１５記載のランプ。
【請求項２０】
前記端面光源部と前記先端側支持体とが一体的に設けられている請求項１５記載のランプ。
【請求項２１】
前記ランプの先端側から見たときの前記先端側支持体の形状は、中央部分から各々の前記側面光源部に向かって放射状に延びる腕部を有する形状であり、前記腕部の間を空気が通過可能である請求項１５記載のランプ。
【請求項２２】
前記ランプの先端側から見たときの前記先端側支持体の形状が環状であり、環状の当該先端側支持体で囲まれる開口を空気が通過可能である請求項１５記載のランプ。
【請求項２３】
前記ランプの先端側から見たとき、前記端面光源部の形状は、前記先端側支持体の形状に対応する形状である請求項２１または請求項２２に記載のランプ。
【請求項２４】
前記側面光源基板を介して前記端面光源基板へ給電する請求項１から請求項２３の何れか１項記載のランプ。
【請求項２５】
前記基端側支持体から前記側面光源部への給電経路を電気的に接続するコネクタと、前記側面光源部から前記端面光源部への給電経路を電気的に接続するコネクタとの一方または双方を備える請求項１５記載のランプ。
【請求項２６】
前記側面光源基板と前記端面光源基板とが、共通のフレキシブル基板により形成され、屈曲部を介して連続している請求項１から請求項７の何れか１項記載のランプ。
【請求項２７】
前記フレキシブル基板により形成される前記側面光源基板及び前記端面光源基板のすべての前記発光素子を覆い、透光性及び防水防湿性を有するカバーを備える請求項２６記載のランプ。
【発明の詳細な説明】
【技術分野】
【０００１】
本発明は、ランプに関する。
【背景技術】
【０００２】
近年、屋外照明器具装着用のＨＩＤ（Ｈｉｇｈ  Ｉｎｔｅｎｓｉｔｙ  Ｄｉｓｃｈａｒｇｅｄ）ランプ（例えば水銀ランプなど）の代替となる、大光束のＬＥＤランプの開発が進められている。これは、省エネルギー、長寿命化、耐環境性等の観点からの要請によるものである。そのような大型ＬＥＤランプとして、例えば、特許文献１及び２に記載のものが提案されている。
【先行技術文献】
【特許文献】
【０００３】
【特許文献１】特開２０１３−１０１８５３号公報
【特許文献２】特開２０１１−２４３５１２号公報
【発明の概要】
【発明が解決しようとする課題】
【０００４】
特許文献１のランプは、大型面光源のＬＥＤ光源をランプの側面にのみ配置した構成である。このような特許文献１のランプは、全周囲配光となる。ここで、全周囲配光及び全方位配光の代表的な態様について説明する。図１０は、２種のランプの配光特性を相対的に説明する図（配光曲線図）である。図１０では、ランプ１００の先端側を０°、ランプ１００の口金側を１８０°としている。図１０中、実線で示す配光曲線は、全方位配光であり、例えば従来の蛍光形水銀ランプや全方向ＬＥＤ電球のものである。全方位配光のランプでは、ランプの側方（外周側）だけでなく、ランプの先端方向を十分に照明することができる。図１０中、破線で示す配光曲線は、全周囲配光である。特許文献１のランプは、側面のみに光源が配置されているため、このような全周囲配光となる。全周囲配光のランプでは、ランプ直下（ランプ先端側）の光束成分がほとんどなく、装着する器具によっては下方（ランプの先端方向）の明るさが十分でなかったり、明るさむらができたりすることがある。
【０００５】
特許文献２のランプは、側面だけでなく、前面にもＬＥＤ基板を備えたランプである。特許文献２のランプは、ＬＥＤチップへの投入電力を大きくできないリードフレーム（脚）付き低光束ＬＥＤを用いており、外部にリードフレームを曝して放熱性を維持する構成としている。リードフレーム付き低光束ＬＥＤを密に実装しても、市場におけるランプの大光束化の傾向には対応が難しいという問題がある。また、ＬＥＤが直接外部環境に曝されるため、耐候性（防水、防湿）の面から電気的トラブルを引き起こす懸念がある。また、特許文献２のランプでは、前面（ランプの先端面）に配置されるＬＥＤの個数が、側面に配置されるＬＥＤの個数に比べて大幅に少ないので、ランプの先端方向の明るさを十分に高くすることが困難な場合があり、良好な全方位配光が得られない場合がある。また、側面光源基板及び端面光源基板で囲まれる空間が閉空間になっているため、側面光源基板及び端面光源基板の裏面側から放熱しにくい。
【０００６】
本発明は、上述のような課題を解決するためになされたもので、放熱性に優れ、大光束化に対応可能であり、全方位配光を実現する高効率のランプを提供することを目的とする。
【課題を解決するための手段】
【０００７】
本発明に係るランプは、発光素子を実装した側面光源基板を有する複数の側面光源部と、発光素子を実装した端面光源基板を有する端面光源部と、を備え、端面光源部は、端面光源基板の発光素子側の面をランプの先端側に向けて、ランプの先端部に配置され、複数の側面光源部は、側面光源基板の発光素子側の面をランプの外周側に向けて、ランプの周方向に等間隔に配置され、各々の側面光源部は、ランプの中心線の方向の長さが、それと直交する方向の長さに比べて長い形状をなし、隣り合う側面光源部の間に、空気の流路となる隙間を備えるものである。
【発明の効果】
【０００８】
本発明によれば、放熱性に優れ、大光束化に対応可能であり、全方位配光を実現する高効率のランプを提供することが可能となる。
【図面の簡単な説明】
【０００９】
【図１】本発明の実施の形態１のランプを斜め先端側から見た斜視図である。
【図２】本発明の実施の形態１のランプを斜め基端側から見た斜視図である。
【図３】本発明の実施の形態１のランプの側面図である。
【図４】本発明の実施の形態１のランプを、端面光源部及び口金装着部を取り外した状態で斜め先端側から見た斜視図である。
【図５】本発明の実施の形態１のランプの側面光源部の側面透光性カバーの構成例を示す断面図である。
【図６】本発明の実施の形態２のランプを示す側面図である。
【図７】本発明の実施の形態２のランプを中心線の方向（先端側）から見た図である。
【図８】本発明の実施の形態３のランプを斜め先端側から見た斜視図である。
【図９】本発明の実施の形態４のランプを斜め基端側から見た斜視図である。
【図１０】２種のランプの配光特性を相対的に説明する図（配光曲線図）である。
【図１１】本発明の実施の形態５のランプを斜め先端側から見た斜視図である。
【図１２】本発明の実施の形態６のランプを斜め先端側から見た斜視図である。
【図１３】本発明の実施の形態７のランプを斜め先端側から見た斜視図である。
【図１４】本発明の実施の形態７のランプを斜め基端側から見た斜視図である。
【図１５】本発明の実施の形態８のランプを斜め先端側から見た斜視図である。
【図１６】本発明の実施の形態８のランプを斜め基端側から見た斜視図である。
【図１７】本発明の実施の形態９のランプを斜め基端側から見た斜視図である。
【図１８】本発明の実施の形態１０のランプを斜め先端側から見た斜視図である。
【図１９】本発明の実施の形態１１のランプを斜め先端側から見た分解斜視図である。
【図２０】本発明の実施の形態１２のランプを斜め先端側から見た斜視図である。
【図２１】本発明の実施の形態１２のランプを斜め先端側から見た分解斜視図である。
【図２２】本発明の実施の形態１３のランプを斜め先端側から見た斜視図である。
【図２３】本発明の実施の形態１３のランプを斜め先端側から見た分解斜視図である。
【図２４】本発明の実施の形態１４のランプを斜め先端側から見た斜視図である。
【図２５】本発明の実施の形態１４のランプの一部の構成要素を斜め先端側から見た分解斜視図である。
【発明を実施するための形態】
【００１０】
以下、図面を参照して本発明の実施の形態について説明する。なお、各図において共通する要素には、同一の符号を付して、重複する説明を省略する。
【００１１】
実施の形態１．
図１及び図２は、本発明の実施の形態１のランプを示す斜視図である。図３は、図１及び図２に示すランプ１Ａの側面図である。これらの図に示すように、本実施の形態１のランプ１Ａは、ねじ込み式の口金８を装着した口金装着部２と、ランプ１Ａの側面に配置された５個の側面光源部３と、ランプ１Ａの先端部に配置された１個の端面光源部１０と、支柱１４とを備える。本実施の形態１のランプ１Ａは、ランプ外寸（長さ、外周径、ランプ先端からの有効発光領域長）を、一般的な２５０Ｗ級水銀ランプとほぼ等しくし、口金８をＥ３９口金（Φ３９ｍｍ）とした構成例であるが、本発明がこのような仕様に限定されないことは言うまでもない。また、以下の説明では、口金８側を「基端側」とし、その反対側を「先端側」とする。また、口金８の中心軸を通る直線をランプ１Ａの中心線とする。
【００１２】
口金装着部２は、口金８に接続された第一部位２ａと、この第一部位２ａの先端側に設けられた第二部位２ｂとを有する。第一部位２ａは、耐熱性に優れた樹脂材料で形成することが好ましい。第二部位２ｂは、金属材料、または放熱性に優れた樹脂材料などで形成することが好ましい。
【００１３】
口金装着部２と、端面光源部１０とは、ランプ１Ａの中心線に沿って設けられた支柱１４を介して、連結されている。支柱１４の先端側に端面光源部１０が固定され、支柱１４の基端側に口金装着部２が固定されている。
【００１４】
側面光源部３は、複数のＬＥＤ光源５（発光素子）を実装した側面光源基板４と、側面光源基板４の裏面側に設けられた側面基板放熱体６と、側面光源基板４の表面側を覆う側面透光性カバー７とを備える。側面光源部３の形状は、ランプ１Ａの中心線の方向の長さが、それと直交する方向の長さに比べて、長い形状をなす。本実施の形態１の側面光源部３の形状は、側面光源基板４に垂直な方向から見て、略長方形である。本実施の形態１の側面光源部３は、ＬＥＤ光源５として、１Ｗ〜数Ｗ級の面実装型小型ＬＥＤパッケージを用いている。側面基板放熱体６は、側面光源基板４の裏面側に重なる板状部と、当該板状部から突出し、ＬＥＤ光源５で発生した熱を空気へ放熱させる平板状の複数の放熱フィンとを有する。これらの放熱フィンは、側面光源部３の長手方向に沿って設けられている。側面光源部３は、側面光源基板４のＬＥＤ光源５側の面をランプ１Ａの外周側に向けるように配置されている。また、５個の側面光源部３は、ランプ１Ａの周方向に等間隔に、すなわちランプ１Ａの中心線の周りに等角度間隔（７２°間隔）に、配置されている。このように側面光源部３を配置することにより、ランプ１Ａの全周囲への配光を確保することができる。なお、本発明では、側面光源部３の個数は、５個に限らないが、最低３個とし、ランプ外寸仕様に適合する範囲で、６個以上としてもよい。
【００１５】
隣り合う側面光源部３同士は接触しておらず、隣り合う側面光源部３の間には、空気の流路となる隙間１７が設けられている。この隙間１７を空気が流れることにより、側面基板放熱体６での空気対流等による放熱効果を高めることができ、優れた放熱性が得られ、ＬＥＤ光源５を低温化することができるので、ＬＥＤ光源５の高効率化及び長寿命化が図れる。特に、本実施の形態１では、ランプ１Ａの基端側に向かって、隣り合う側面光源部３間の隙間１７が拡大する。このため、隣り合う側面光源部３間の隙間１７を空気が効率良く流れることができ、より優れた放熱性が得られる。
【００１６】
図１及び図２に示すように、ランプ１Ａは、複数の側面光源部３の基端部を支持する基端側支持体１５ａと、複数の側面光源部３の先端部を支持する先端側支持体１５ｂとを備える。基端側支持体１５ａ及び先端側支持体１５ｂは、支柱１４を介して、相互に連結固定されている。基端側支持体１５ａ及び先端側支持体１５ｂは、支柱１４から各々の側面光源部３へ向かって放射状に突出する複数の腕部を有し、各々の腕部が各々の側面光源部３に固定されている。基端側支持体１５ａの腕部は、側面光源部３の基端寄りの位置で、側面基板放熱体６の板状部に連結される。先端側支持体１５ｂの腕部は、側面光源部３の先端寄りの位置で、側面基板放熱体６の板状部に連結される。基端側支持体１５ａ及び先端側支持体１５ｂは、放熱性に優れた材料、あるいは熱伝導率の高い材料で形成することが好ましい。本実施の形態１の基端側支持体１５ａ及び先端側支持体１５ｂの腕部は、棒状をなしている。本実施の形態１では、このように体積の小さい基端側支持体１５ａ及び先端側支持体１５ｂによって側面光源部３を支持することにより、空気の流路を広く確保することができるので、放熱効率の向上とランプ１Ａの軽量化とを同時に実現することができる。基端側支持体１５ａと先端側支持体１５ｂとの間に、空気が通過可能な空間が形成されることで、側面基板放熱体６に当たる空気流を促進でき、優れた放熱性が得られる。基端側支持体１５ａ及び先端側支持体１５ｂの２箇所のみで側面光源部３を支持することで、側面光源部３を支持する部材（基端側支持体１５ａ及び先端側支持体１５ｂ）と側面基板放熱体６とがスペース的に干渉しないので、側面基板放熱体６に当たる空気流が妨げられることがなく、側面基板放熱体６からの放熱を確実に促進できる。なお、本実施の形態１では、一つの側面光源部３につき基端側支持体１５ａ及び先端側支持体１５ｂの２箇所で支持しているが、一つの側面光源部３につき１箇所で支持する構成としてもよい。
【００１７】
図１に示すように、端面光源部１０は、複数のＬＥＤ光源５（発光素子）を実装した端面光源基板１１と、端面光源基板１１の裏面側に設けられた端面基板放熱体１２と、端面光源基板１１の表面側を覆う端面透光性カバー１３とを備える。本実施の形態１の端面光源部１０は、ＬＥＤ光源５として、１Ｗ〜数Ｗ級の面実装型小型ＬＥＤパッケージを用いている。本実施の形態１では、端面光源部１０のＬＥＤ光源５と、側面光源部３のＬＥＤ光源５とは、同型であるが、異なる型にしてもよい。端面光源部１０は、端面光源基板１１のＬＥＤ光源５側の面をランプ１Ａの先端側に向けるように配置されている。本実施の形態１の端面光源部１０の形状は、端面光源基板１１に垂直な方向から見て、略円形である。端面基板放熱体１２は、端面光源基板１１の裏面側に重なる板状部と、当該板状部から突出し、ＬＥＤ光源５で発生した熱を空気へ放熱させる平板状の複数の放熱フィンとを有する。これらの放熱フィンは、端面光源部１０の中心側から外周側へ放射状に延びるように設けられている。支柱１４の先端部と端面基板放熱体１２とが連結固定される。端面光源基板１１に垂直な方向から見たときの端面光源部１０の形状は、略円形に限定されるものではなく、例えば、略正多角形などでもよい。図示の構成では、一つの側面光源部３が備えるＬＥＤ光源５の数は１５個であり、端面光源部１０が備えるＬＥＤ光源５の数は１９個であるが、一つの側面光源部３が備えるＬＥＤ光源５の数が、端面光源部１０が備えるＬＥＤ光源５の数以上であってもよい。
【００１８】
側面光源部３と端面光源部１０とは接触しておらず、側面光源部３と端面光源部１０との間には、空気の流路となる隙間１６が設けられている。この隙間１６を空気が流れることにより、端面基板放熱体１２での空気対流等による放熱効果を高めることができ、優れた放熱性が得られ、ＬＥＤ光源５を低温化することができるので、ＬＥＤ光源５の高効率化及び長寿命化が図れる。
【００１９】
側面光源基板４及び端面光源基板１１は、有機材料基板、あるいはセラミック系基板でもよいが、アルミニウムまたは鉄などの金属系基板で構成することが好ましい。側面光源基板４及び端面光源基板１１を金属系基板で構成することにより、放熱性を高めるとともに、振動への耐久性を向上することができる。側面光源基板４及び端面光源基板１１の表面は、光損失を抑えるため、白色系塗料などで表面レジスト処理を行うことが好ましい。また、側面基板放熱体６、端面基板放熱体１２、支柱１４、基端側支持体１５ａ及び先端側支持体１５ｂなどに対しても、少なくともランプ１Ａの自己放射光が照射される部分に、白色系の高反射塗料を塗るなどすることにより、ランプ１Ａ内の光損失を極力抑えることができる。
【００２０】
図３に示すように、各々の側面光源部３は、側面光源基板４とランプ１Ａの中心線とのなす角度θが鋭角になるとともに、側面光源基板４とランプ１Ａの中心線との距離が、ランプ１Ａの基端側に向かって拡大するように、ランプ１Ａの中心線に対し傾斜して配置されている。このため、側面光源部３からランプ１Ａの側方（外周側）へ照射される光を、上記角度θだけ、ランプ１Ａの先端側へ傾斜させることができる。
【００２１】
ランプ１Ａによれば、先端部に設けた端面光源部１０から光を先端方向へ照射することができる。更に、側面光源部３を上記のように傾斜させて配置したことにより、側面光源部３から放射される光を、ランプ１Ａの側方（外周側）へ向かう光成分を持たせたまま、ランプ１Ａの先端側にやや傾斜させて放射させることができる。このため、端面光源部１０から放射される光と、側面光源部３から放射される光の一部とによって、ランプ１Ａの先端方向への光束を十分に高めることができる。このようなことから、本実施の形態１のランプ１Ａによれば、特に良好な全方位配光を実現でき、ランプ１Ａの先端方向の明るさを十分に確保するとともに、ランプ１Ａの先端方向の明るさのむらも防止することができる。また、側面光源部３及び端面光源部１０の出力、配置条件等を調整することで、図１０に示す従来の蛍光反射型水銀ランプと同様の配光特性を得ることも可能である。
【００２２】
また、前述したように、ランプ１Ａでは、側面光源部３の形状は、ランプ１Ａの中心線の方向の長さが、それと直交する方向の長さに比べて、長い形状をなす。このため、側面光源部３の側面光源基板４の面積を十分に大きくすることができるので、必要な光束に応じて、側面光源部３に設置するＬＥＤ光源５の個数を十分に多くすることができる。このため、大光束化への対応に有利である。
【００２３】
また、側面光源部３を上記のように傾斜させて配置したことにより、側面光源部３が発する光の一部によって、ランプ１Ａの先端方向への配光を高めることができる。それゆえ、端面光源部１０が発する光と合わせて、ランプ１Ａの先端方向の明るさを十分に確保し、明るさのむらも防止することができる。このため、ランプ外寸（特に、外周径）に制限がある場合において、端面光源部１０の端面光源基板１１の面積が制限される場合にも、良好な全方位配光を実現できる。
【００２４】
本実施の形態１のランプ１Ａでは、側面光源基板４とランプ１Ａの中心線とのなす角度θを約１０°としている。本実施の形態１では、ランプ外径を極端に大きくせずに、優れた全方位配光特性を得るために、この角度θが５°〜３０°であることが好ましい。
【００２５】
以上のようなことから、本実施の形態１のランプ１Ａによれば、ランプの外寸を抑制しつつ、大光束化に対応可能であり、高効率のＬＥＤ光源５を用いて、良好な全方位配光を実現することができる。
【００２６】
なお、本実施の形態１では、側面光源部３の形状を略長方形としているが、側面光源部３の形状はこれに限定されるものではなく、また、必要とするランプの配光形状や光束によって、ＬＥＤ光源５の配置、基板サイズなどを調整することが可能である。また、側面光源基板４は、必ずしも平面状でなくてもよく、例えば、所望の配光特性を得るように、フレキシブル基板などを利用し、個々のＬＥＤ光源５の実装部が連続的に段差を形成するような形態にしてもよい。ただし、フレキシブル基板は高価であるため、コストを低くする観点からは、本実施の形態１のように、平面基板を用いるとともに、個々のＬＥＤ光源５の光軸が基板に垂直となるように実装し、容易に製造可能にすることが好ましい。
【００２７】
図４は、本実施の形態１のランプ１Ａを端面光源部１０及び口金装着部２を取り外した状態で斜め先端側から見た斜視図である。図４を参照して、口金装着部２から側面光源部３及び端面光源部１０への給電方法の例について説明する。支柱１４は、円筒状をなし、中空部を有している。この支柱１４の中空部に給電線を通すことにより、口金装着部２から端面光源部１０へ給電する。このような構成により、口金装着部２から端面光源部１０への給電線を確実に保護することができるので、耐候性が向上する。また、図示を省略するが、口金装着部２または支柱１４の内部から、基端側支持体１５ａまたは先端側支持体１５ｂの内部へ延びる給電線が配設されており、この給電線を介して、側面光源部３へ給電する。このような構成により、口金装着部２から側面光源部３への給電線を確実に保護することができるので、耐候性が向上する。側面光源基板４及び端面光源基板１１には、電源接続端子（図示省略）が設けられており、その電源接続端子に上記給電線が接続される。側面基板放熱体６及び端面基板放熱体１２には、給電線を通す開口部を設けてもよい。
【００２８】
端面光源部１０と支柱１４との固定方法、並びに、側面光源部３と基端側支持体１５ａ及び先端側支持体１５ｂとの固定方法は、特に限定されないが、各光源部の電源供給口を避けた個所において、例えば差し込み、スライド、ネジ止め、あるいはそれら複合させた方法により固定することができる。
【００２９】
側面透光性カバー７及び端面透光性カバー１３は、透光性及び防水防湿性を有する。側面透光性カバー７及び端面透光性カバー１３は、それぞれ、側面光源基板４及び端面光源基板１１の全体を覆う形に成形されている。すなわち、側面透光性カバー７は、当該側面光源部３のすべてのＬＥＤ光源５を一括して覆うように構成されており、端面透光性カバー１３は、端面光源部１０のすべてのＬＥＤ光源５を一括して覆うように構成されている。側面透光性カバー７及び端面透光性カバー１３の構成材料は、耐湿性、耐水性、耐光性、耐震性などに優れた材料が望ましく、例えば、成形のし易さと耐環境性とに優れたポリカーボネート材料を好ましく用いることができる。また、側面透光性カバー７及び端面透光性カバー１３と、側面基板放熱体６及び端面基板放熱体１２との接合部は、それぞれ、防水防湿性を有する構成とする。そのような構成としては、例えば、側面基板放熱体６及び端面基板放熱体１２に、それぞれ、側面透光性カバー７及び端面透光性カバー１３の外周部が嵌合する取り付け溝（図示省略）を形成し、その嵌合部の周囲を例えばシリコーン系の防湿性樹脂でコーティングする構成が挙げられる。このように、本実施の形態１のランプ１Ａでは、側面透光性カバー７及び端面透光性カバー１３を設け、その取り付け部の防水防湿性を確保したことにより、ＬＥＤ光源５、側面光源基板４及び端面光源基板１１を環境から確実に保護することができる。このため、ランプ１Ａ全体としても、優れた耐環境性を発揮するため、屋外に設置される照明器具にも好ましく使用することができる。
【００３０】
また、側面透光性カバー７または端面透光性カバー１３において、幾何学的な凹凸パターンを設けたり、ランプ１Ａの先端側と基端側とで異なる形状としたり、カバー透過率を調整したりしてもよい。これらの構成により、各ＬＥＤ光源５からの光線方向をカバー内面または外面で制御したり、各ＬＥＤ光源５からカバーまでの距離を変えたりすることにより、側面光源基板４または端面光源基板１１からの配光を意図的に調整することが可能となる。
【００３１】
また、側面透光性カバー７及び端面透光性カバー１３は、ＬＥＤ光源５の表面からの距離を十分確保しつつ、ＬＥＤ光源５の側面をも覆う形状が好ましい。これにより、側面光源部３及び端面光源部１０は、ＬＥＤ光源５の表面側へ光を照射するだけでなく、ＬＥＤ光源５の側面側へも広く光を照射できるので、ランプ１Ａの配光を広げる効果が得られる。また、特に拡散性を有するカバーでは、ランプ１Ａの外側から見たランプ１Ａ上の輝度変化（発光部と非発光部とのコントラスト）を低く抑えることができる。
【００３２】
図５は、側面光源部３の側面透光性カバー７の構成例を示す断面図である。図５に示す側面透光性カバー７は、透光性の高い樹脂材料で構成され、内面に鋸歯状の凹凸パターンを付加した例である。図５中、左側がランプ１Ａの先端側である。側面透光性カバー７の内面の鋸歯状の凹凸パターンは、側面光源部３の長手方向に沿って凹凸を繰り返すように形成されている。また、側面透光性カバー７の内面の鋸歯状の凹凸パターンの傾斜面と、側面透光性カバー７の外面とがなす鋭角が、ランプ１Ａの先端側を向くように形成されている。このような構成により、側面透光性カバー７を構成する樹脂材料及び空気の屈折率の関係から、ＬＥＤ光源５から発せられた光線は、図５中の矢印で示すように屈折する。これにより、ランプ１Ａの先端方向へ光強度をある程度高めることができる。特に、ヘイズが少ない、ほぼ透明の材料を用いる場合に、このような効果がより高くなる。同様にして、端面透光性カバー１３に、例えば円周状に同様の凹凸パターンを設けることにより、所望の配光に近づけるような光線制御機能を与えてもよい。
【００３３】
上記のようにして、側面透光性カバー７または端面透光性カバー１３にも、ランプ配光を制御する機能を持たせることが可能であり、先端方向への光束を高める場合などに有効である。また、本実施の形態１では、側面透光性カバー７及び端面透光性カバー１３の形状を、側面光源基板４及び端面光源基板１１の全体を覆う形状としているが、基板及びＬＥＤ光源５を保護する機能（例えば防水性など）を損なわなければ、このような形状以外でも構わない。
【００３４】
図１に示すように、端面基板放熱体１２は、端面光源部１０の中心側から外周側へ放射状に延びる放熱フィンを有する。端面基板放熱体１２の放熱フィンは、端面光源基板１１の外周側まで延び、端面光源基板１１の外周側から、ランプ１Ａの先端方向へ立ち上がる立ち上げ部分を有している。このような端面基板放熱体１２の構成により、端面光源部１０の放熱性を更に高めることができる。特に、ランプ１Ａを、口金８が上向きの状態で取り付ける場合、口金８が下向きの状態で取り付ける場合、口金８が横向きの状態で取り付ける場合、の何れの場合にも、端面基板放熱体１２の放熱フィンに沿って良好な放熱経路を確保することができ、優れた放熱性が得られる。
【００３５】
また、本実施の形態１では、前述したように、ランプ１Ａの中心線上にある支柱１４から放射状に延びる複数の腕部を有する基端側支持体１５ａ及び先端側支持体１５ｂによって側面光源部３を支持したこと、隣り合う側面光源部３の間に空気の流路となる隙間１７を設けたこと、及び、側面光源部３と端面光源部１０との間に空気の流路となる隙間１６を設けたこと、により、あらゆる方向からの空気の流れに対して、光源部の間及び光源部の裏面を通る空気の流路が形成される。このため、本実施の形態１のランプ１Ａは、口金８が上向きの状態で取り付ける場合、口金８が下向きの状態で取り付ける場合、口金８が横向きの状態で取り付ける場合、の何れの場合にも、側面光源部３及び端面光源部１０の放熱性を良好にすることができる。その結果、ランプの取付け方向が異なる多種の屋外照明器具にランプ１Ａを使用する場合に、ランプの取付け方向によらず、優れた放熱性を確保でき、ＬＥＤ光源５の温度上昇を抑え、ランプ発光効率を高め、ＬＥＤ光源５の寿命を長くすることができる。
【００３６】
また、本実施の形態１では、端面光源部１０に実装するＬＥＤ光源５と、側面光源部３に実装するＬＥＤ光源５とを同型（同じもの）としたことにより、コストの低減が図れる。本実施の形態１において、端面光源部１０の個々のＬＥＤ光源５の駆動条件と、側面光源部３の個々のＬＥＤ光源５との駆動条件とが異なるようにしてもよい。例えば、端面光源部１０の個々のＬＥＤ光源５の電流値を、側面光源部３の個々のＬＥＤ光源５の電流値に比べて、大きく設定してもよい。このようにした場合、端面光源部１０の１個のＬＥＤ光源５当たりの光束を、側面光源部３の１個のＬＥＤ光源５当たりの光束に比べて大きくすることができる。このため、端面光源部１０のＬＥＤ光源５の総数が、すべての側面光源部３のＬＥＤ光源５の総数に比べて少なくても、端面光源部１０から放射される光束を大きくし、ランプ１Ａの先端方向へ広がる光成分を高めるなどの配光制御が可能となる。また、装着する器具の種類により、先端方向への配光成分や側方への配光成分が重視されることがあれば、それに応じて、端面光源部１０のＬＥＤ光源５と側面光源部３のＬＥＤ光源５との駆動条件を変えるようにしてもよい。
【００３７】
また、本実施の形態１では、発光素子（ＬＥＤ光源５）として、面実装型小型ＬＥＤパッケージを用いているが、本発明における発光素子は、これに限定されるものではなく、例えば数千〜数万ｌｍ／個の大光束のＣＯＢ（Ｃｈｉｐ  ｏｎ  Ｂｏａｒｄ）型のＬＥＤ光源を用いてもよい。ＣＯＢ型のＬＥＤ光源は、金属系基板もしくはセラミック基板等の放熱性基板に複数のＬＥＤベアチップを直接に実装して樹脂封止する構成としたものである。その場合、目的とするランプ仕様に応じて、側面光源部３と端面光源部１０とで、外寸、電気的仕様、光学仕様等が異なるＣＯＢ型ＬＥＤ光源を用いても構わない。また、本発明では、ＬＥＤ光源に限らず、例えば有機ＥＬ光源等を発光素子として用いてもよい。
【００３８】
実施の形態２．
次に、図６及び図７を参照して、本発明の実施の形態２について説明するが、上述した実施の形態１との相違点を中心に説明し、同一部分または相当部分は同一符号を付し説明を省略する。図６は、本発明の実施の形態２のランプ１Ｂを示す側面図である。図７は、図６に示すランプ１Ｂを中心線の方向（先端側）から見た図である。
【００３９】
前述した実施の形態１のランプ１Ａでは、中心線の方向（先端側）から見たときに、側面光源部３の先端部分が端面光源部１０に僅かに重なる構成としている。このような構成の場合、各部の寸法によっては、ランプ配光形状において、その重なり部分が多少の凹凸となって現れ、滑らかさを損なう場合がある。
【００４０】
これに対し、図７に示すように、本実施の形態２のランプ１Ｂでは、中心線の方向（先端側）から見たときに、複数の側面光源部３のすべてのＬＥＤ光源５が端面光源部１０の外縁より外側に位置するように、側面光源部３が配置されている。このような構成により、本実施の形態２では、ランプ１Ａを先端側から見たときに、側面光源部３の発光部と、端面光源部１０の発光部との間の重なりをなくすことができるので、より滑らかな全方位配光形状を得ることができる。
【００４１】
実施の形態３．
次に、図８を参照して、本発明の実施の形態３について説明するが、上述した実施の形態１との相違点を中心に説明し、同一部分または相当部分は同一符号を付し説明を省略する。図８は、本発明の実施の形態３のランプ１Ｃを斜め先端側から見た斜視図である。図８に示すように、本実施の形態３のランプ１Ｃは、側面光源部３からランプ１Ｃの基端側に放射される光成分をランプ１Ｃの先端側または外周側へ反射させる反射体２０を備える。反射体２０は、各々の側面光源部３の口金８側の端部に設置されている。反射体２０の反射面は、鏡面材料または拡散材料で構成することが好ましく、所望のランプ配光に応じて選択する。本実施の形態３によれば、反射体２０を設けたことにより、ランプ１Ｃの先端側または外周側への放射光束を高めることが可能となるので、より良好な全方位配光形状が得られる。
【００４２】
なお、本実施の形態３では、反射体２０を各側面光源部３に個別に設けているが、複数の側面光源部３に対する反射体を一体的に設けてもよい。その場合、反射体を、支柱１４の周囲または口金装着部２の周囲に円環状に設けてもよい。あるいは、側面透光性カバー７の一部の領域に、反射材料（例えば反射シート、反射性金属を蒸着するなど）を付加することで、反射体を形成する構成としてもよい。
【００４３】
実施の形態４．
次に、図９を参照して、本発明の実施の形態４について説明するが、上述した実施の形態１との相違点を中心に説明し、同一部分または相当部分は同一符号を付し説明を省略する。図９は、本発明の実施の形態４のランプ１Ｄを斜め基端側から見た斜視図である。図９に示す本実施の形態４のランプ１Ｄは、実施の形態１の口金装着部２に代えて、口金装着部９を備えている。本実施の形態４のランプ１Ｄが備える口金装着部９には、各々の側面光源部３に向かって放射状に突出して当該側面光源部３を支持する複数の腕部を有する基端側支持体９１が一体的に設けられている。基端側支持体９１の腕部は、側面光源部３の基端寄りの位置に固定されている。本実施の形態４では、側面光源部３の基端部は、実施の形態１における基端側支持体１５ａに代えて、口金装着部９と一体化した基端側支持体９１によって支持される。口金装着部９は、放熱性を高めるため、例えばアルミニウム等の金属材料、高熱伝導性樹脂、あるいはそれらの複合材料で構成することが好ましい。基端側支持体９１の隣り合う腕部と腕部との間には、空気の流路となる凹部９２が形成される。この凹部９２により、ランプ１Ｄの先端側と基端側（口金８側）との間に大きな空気流路を確保することができるため、良好な放熱性が得られ、ＬＥＤ光源５の発光効率の向上及び長寿命化が図れる。また、放熱効果をさらに高める目的で、基端側支持体９１や凹部９２の表面に、放熱面積を高める凹凸構造を設けてもよい。
【００４４】
実施の形態５．
次に、図１１を参照して、本発明の実施の形態５について説明するが、上述した実施の形態１との相違点を中心に説明し、同一部分または相当部分は同一符号を付し説明を省略する。図１１は、本発明の実施の形態５のランプ１Ｅを斜め先端側から見た斜視図である。図１１に示すように、本実施の形態５のランプ１Ｅでは、各々の側面光源部３は、側面光源基板４がランプ１Ａの中心線に対しほぼ平行になるように設けられている。端面光源部１０から先端方向に光が放射されるので、本実施の形態のように側面光源基板４をランプ１Ａの中心線に対しほぼ平行にした場合でも、良好な全方位配光を実現できる。
【００４５】
実施の形態１のランプ１Ａでは、隣り合う側面光源部３間の隙間１７が、先端側に向かって、徐々に狭くなる。これに対し、本実施の形態５のランプ１Ｅでは、隣り合う側面光源部３間の隙間１７が先端側に向かって徐々に狭くなることがなく、先端側の部分においても、隣り合う側面光源部３間の隙間１７を大きく確保できる。このため、先端側の部分においても、隙間１７を空気がより効率良く流れることができ、より優れた放熱性が得られる。特に、設置状態でのランプ１Ｅの向き（口金８が上向き、口金８が下向き、口金８が横向きなど）にかかわらず、優れた放熱性が得られる。
【００４６】
実施の形態６．
次に、図１２を参照して、本発明の実施の形態６について説明するが、上述した実施の形態１及び５との相違点を中心に説明し、同一部分または相当部分は同一符号を付し説明を省略する。図１２は、本発明の実施の形態６のランプ１Ｆを斜め先端側から見た斜視図である。図１２に示すように、本実施の形態６のランプ１Ｆでは、実施の形態１及び５における支柱１４を省略している。本実施の形態６のランプ１Ｆでは、基端側支持体１５ａと先端側支持体１５ｂとが、複数の側面光源部３（側面基板放熱体６）のみを介して相互に連結固定されている。端面光源部１０は、短い支柱１８を介して先端側支持体１５ｂに固定されている。先端側支持体１５ｂ、複数の側面光源部３（側面基板放熱体６）、及び基端側支持体１５ａで構成される構造体の支持剛性により、支柱１４がなくても、端面光源部１０及び側面光源部３を十分な剛性及び強度で支持できる。特に、複数の側面光源部３（側面基板放熱体６）がランプ１Ｆの中心線の周りに等角度間隔に配置されていることで、支柱１４がなくても、当該構造体の支持剛性を十分に高くできる。
【００４７】
口金装着部２から端面光源部１０への給電経路は、少なくとも一つの側面光源部３を経由する。すなわち、口金装着部２から少なくとも一つの側面光源部３を介して端面光源部１０へ給電する。少なくとも一つの側面光源部３と、端面光源部１０とは、給電線（図示省略）を介して接続される。当該給電線は、例えば、先端側支持体１５ｂの腕部及び支柱１８に沿って、または先端側支持体１５ｂの腕部及び支柱１８の内部に、配設できる。図示を省略するが、少なくとも一つの側面光源部３の側面光源基板４に、当該側面光源基板４のＬＥＤ光源５に給電するための導電パターンと、端面光源部１０へ給電するための導電パターンとを別々に設け、後者の導電パターンを上記給電線で端面光源基板１１に電気的に接続しても良い。このようにすることで、側面光源部３に給電する給電経路と、端面光源部１０に給電する給電経路とを電気的に独立にできるので、側面光源部３のＬＥＤ光源５と、端面光源部１０のＬＥＤ光源５とで、電流及び電圧などの駆動条件並びに点灯状態を個別に制御することが可能になる。
【００４８】
実施の形態１及び５では、複数の側面光源部３（端面基板放熱体６）で囲まれる空間に支柱１４が存在する。これに対し、本実施の形態６のランプ１Ｆでは、複数の側面光源部３（端面基板放熱体６）で囲まれる空間に支柱１４が通っておらず、当該空間が、通風の妨げとなる障害物の無い、一つのまとまった空間になる。そのため、当該空間における空気の流通をさらに促進でき、放熱性をさらに向上できる。また、支柱１４を省略したことで、ランプ１Ｆを軽量化できる。ランプ１Ｆが軽量化することで、ランプ１Ｆの設置業務効率を向上でき、また、ランプ１Ｆが万一落下した場合の安全性を向上できる。
【００４９】
実施の形態７．
次に、図１３及び図１４を参照して、本発明の実施の形態７について説明するが、上述した実施の形態１との相違点を中心に説明し、同一部分または相当部分は同一符号を付し説明を省略する。図１３は、本発明の実施の形態７のランプ１Ｇを斜め先端側から見た斜視図である。図１４は、本発明の実施の形態７のランプ１Ｇを斜め基端側から見た斜視図である。
【００５０】
図１３及び図１４に示すように、本実施の形態７のランプ１Ｇは、４個の側面光源部を備える。４個の側面光源部３は、ランプ１Ｇの周方向に等間隔に、すなわちランプ１Ｇの中心線の周りに等角度間隔（９０°間隔）に、配置されている。このように側面光源部３を配置することにより、ランプ１Ｇの全周囲への配光を確保できる。各々の側面光源部３は、側面光源基板４がランプ１Ｇの中心線に対しほぼ平行になるように設けられている。端面光源部１０から先端方向に光が放射されるので、本実施の形態のように側面光源基板４をランプ１Ｇの中心線に対しほぼ平行にした場合でも、良好な全方位配光を実現できる。側面光源部３が備える側面基板放熱体６は、側面光源基板４の裏面側に重なる板状部と、当該板状部から突出し、ＬＥＤ光源５で発生した熱を空気へ放熱させる複数のピンフィンとを有する。本実施の形態７における側面基板放熱体６は、このような構成に限定されるものではなく、例えば、実施の形態１のような平板状のフィンを設けた構成でも良い。
【００５１】
基端側支持体１５ａ及び先端側支持体１５ｂは、支柱１４を介して、相互に連結固定されている。基端側支持体１５ａ及び先端側支持体１５ｂは、中央部分から各々の側面光源部３へ向かって腕部が放射状に突出する形状を有し、各々の腕部が各々の側面光源部３に固定される。本実施の形態７では側面光源部３の数が４個であるため、基端側支持体１５ａ及び先端側支持体１５ｂは、ランプ１Ｇの先端側（中心線の方向）から見て、中央部分から四方へ延びる腕部を有する十字形をなす。基端側支持体１５ａの腕部は、側面光源部３の側面基板放熱体６の基端部に連結される。先端側支持体１５ｂの腕部は、側面光源部３の側面基板放熱体６の先端部に連結される。本実施の形態７の基端側支持体１５ａ及び先端側支持体１５ｂの腕部は、板状をなしている。これにより、基端側支持体１５ａ及び先端側支持体１５ｂの表面積を大きくでき、基端側支持体１５ａ及び先端側支持体１５ｂの表面からの放熱を促進できる。
【００５２】
支柱１４は、基端側支持体１５ａと口金装着部２との間を連結固定する、短い突出部分１４ａを有する。すなわち、基端側支持体１５ａと口金装着部２とは、突出部分１４ａを介して連結固定される。このような構成に代えて、基端側支持体１５ａと口金装着部２とを、直接、連結固定しても良い。
【００５３】
端面光源部１０の端面光源基板１１及び端面透光性カバー１３は、先端側支持体１５ｂの中央部分の表面側に取り付けられている。端面光源部１０の端面基板放熱体１２は、先端側支持体１５ｂの中央部分の裏面側に取り付けられている。このような構成により、端面光源部１０と先端側支持体１５ｂとは、一体的に設けられている。端面光源部１０と先端側支持体１５ｂとを一体的に設けることで、端面光源部１０のＬＥＤ光源５から発生する熱を先端側支持体１５ｂに効率良く伝熱させ、先端側支持体１５ｂの表面からも空気へ放熱できる。そのため、放熱性を向上できる。さらに、軽量化及び小型化が図れる。本明細書で、「端面光源部１０と先端側支持体１５ｂとを一体的に設ける」とは、端面光源部１０の一部の構成要素を先端側支持体１５ｂに直接取り付ける場合、及び、端面光源部１０の一部の構成要素を先端側支持体１５ｂに一体に形成する場合を含むものとする。本実施の形態では、端面基板放熱体１２を先端側支持体１５ｂとを別部品にしているが、このような構成に代えて、放熱用のフィンを先端側支持体１５ｂに一体的に形成する構成にしても良い。
【００５４】
基端側支持体１５ａと先端側支持体１５ｂとの間に、空気が通過可能な空間が形成されることで、側面基板放熱体６及び端面基板放熱体１２に当たる空気流を促進でき、優れた放熱性が得られる。基端側支持体１５ａ及び先端側支持体１５ｂの２箇所のみで側面光源部３を支持することで、側面光源部３を支持する部材（基端側支持体１５ａ及び先端側支持体１５ｂ）と側面基板放熱体６とがスペース的に干渉しないので、側面基板放熱体６及び端面基板放熱体１２に当たる空気流が妨げられることがなく、側面基板放熱体６及び端面基板放熱体１２からの放熱を確実に促進できる。
【００５５】
側面光源部３の形状は、側面光源基板４に垂直な方向から見て、ランプ１Ｆの中心線方向に長い、略菱形の６角形である。側面光源部３の長手方向に垂直な方向の側面光源部３の幅は、側面光源部３の長手方向の中央部分で最大であり、この中央部分から両端（側面光源部３の先端部及び基端部）に向かって漸減する。このような構成により、以下の効果が得られる。隣り合う側面光源部３の間に形成される隙間１７の大きさは、側面光源部３の長手方向の中央部分で小さく、この中央部分から先端側及び基端側に向かって大きくなる。すなわち、側面光源部３の先端側と基端側とのそれぞれにおいて隙間１７を大きくできる。側面光源部３の先端側及び基端側の大きい隙間１７のうち、一方から入った空気が、複数の側面光源部３（側面基板放熱体６）及び端面基板放熱体１２で囲まれる空間を通り、他方の大きい隙間１７から外へ出るという流れが形成されやすい。その結果、側面基板放熱体６及び端面基板放熱体１２での空気対流等による放熱効果を高めることができ、優れた放熱性が得られる。設置状態でのランプ１Ｆの向き（口金８が上向き、口金８が下向き、口金８が横向きなど）に応じて、側面光源部３の先端側及び基端側の大きい隙間１７のうちのいずれかが空気の入口及び出口になることで、設置状態でのランプ１Ｆの向きにかかわらず、優れた放熱性が得られる。また、側面光源部３の長手方向の中央部分の幅を大きくできるので、側面光源基板４の面積を十分に大きく確保できる。また、側面光源部３を長方形にした場合に比べて側面光源部３を小型化（低容積化）できるので、ランプ１Ｆを軽量化できる。
【００５６】
前述したような放射状の形状を有する先端側支持体１５ｂの腕部と腕部との間に形成される隙間は、複数の側面光源部３（側面基板放熱体６）及び端面基板放熱体１２で囲まれる空間に連通する。このため、先端側支持体１５ｂの腕部と腕部との間に形成される隙間から、当該空間に空気が出入りでき、側面基板放熱体６及び端面基板放熱体１２での空気対流等による放熱効果を高めることができ、優れた放熱性が得られる。同様にして、前述したような放射状の形状を有する基端側支持体１５ａの腕部と腕部との間に形成される隙間は、複数の側面光源部３（側面基板放熱体６）及び端面基板放熱体１２で囲まれる空間に連通する。このため、基端側支持体１５ａの腕部と腕部との間に形成される隙間から当該空間に空気が出入りでき、側面基板放熱体６での空気対流等による放熱効果を高めることができ、優れた放熱性が得られる。
【００５７】
基端側支持体１５ａ及び先端側支持体１５ｂの表面（少なくとも、露出している部分の表面）は、拡散性を有する高反射率面にするのが好ましい。これにより、光反射損失の抑制及び広配光化が図れる。また、先端側支持体１５ｂの表面（少なくとも、露出している部分の表面）に、放射率（輻射率）を高める高輻射処理を施すことが好ましい。高輻射処理としては、例えば、熱放射塗料の塗布、アルミニウムに対するアルマイト処理などが挙げられる。
【００５８】
実施の形態８．
次に、図１５及び図１６を参照して、本発明の実施の形態８について説明するが、上述した実施の形態７との相違点を中心に説明し、同一部分または相当部分は同一符号を付し説明を省略する。図１５は、本発明の実施の形態８のランプ１Ｈを斜め先端側から見た斜視図である。図１６は、本発明の実施の形態８のランプ１Ｈを斜め基端側から見た斜視図である。
【００５９】
図１５及び図１６に示す本実施の形態８のランプ１Ｈは、実施の形態７のランプ１Ｇと比べて、基端側支持体１５ａと先端側支持体１５ｂとの間を連結固定する部分の支柱１４を省略したこと以外は、ほぼ同様の構成である。本実施の形態８のランプ１Ｈでは、基端側支持体１５ａと先端側支持体１５ｂとが、複数の側面光源部３（側面基板放熱体６）のみを介して相互に連結固定されている。先端側支持体１５ｂ、複数の側面光源部３（側面基板放熱体６）、及び基端側支持体１５ａで構成される構造体の支持剛性により、支柱１４がなくても、端面光源部１０及び側面光源部３を十分な剛性及び強度で支持できる。特に、複数の側面光源部３（側面基板放熱体６）がランプ１Ｈの中心線の周りに等角度間隔に配置されていることで、支柱１４がなくても、当該構造体の支持剛性を十分に高くできる。
【００６０】
口金装着部２から端面光源部１０への給電経路は、少なくとも一つの側面光源部３を経由する。すなわち、口金装着部２から少なくとも一つの側面光源部３を介して端面光源部１０へ給電する。少なくとも一つの側面光源部３と、端面光源部１０とは、給電線（図示省略）を介して接続される。当該給電線は、例えば、先端側支持体１５ｂの腕部に沿って、または先端側支持体１５ｂの腕部の内部に、配設できる。図示を省略するが、少なくとも一つの側面光源部３の側面光源基板４に、当該側面光源基板４のＬＥＤ光源５に給電するための導電パターンと、端面光源部１０へ給電するための導電パターンとを別々に設け、後者の導電パターンを上記給電線で端面光源基板１１に電気的に接続しても良い。このようにすることで、側面光源部３に給電する給電経路と、端面光源部１０に給電する給電経路とを電気的に独立にできるので、側面光源部３のＬＥＤ光源５と、端面光源部１０のＬＥＤ光源５とで、電流及び電圧などの駆動条件並びに点灯状態を個別に制御することが可能になる。
【００６１】
実施の形態７では、複数の側面光源部３（側面基板放熱体６）及び端面基板放熱体１２で囲まれる空間に支柱１４が存在する。これに対し、本実施の形態８のランプ１Ｈでは、複数の側面光源部３（端面基板放熱体６）で囲まれる空間に支柱１４が通っておらず、当該空間が、通風の妨げとなる障害物の無い、一つのまとまった空間になる。そのため、当該空間における空気の流通をさらに促進でき、放熱性をさらに向上できる。また、支柱１４を省略したことで、ランプ１Ｈを軽量化できる。ランプ１Ｈが軽量化することで、ランプ１Ｈの設置業務効率を向上でき、また、ランプ１Ｈが万一落下した場合の安全性を向上できる。
【００６２】
実施の形態９．
次に、図１７を参照して、本発明の実施の形態９について説明するが、上述した実施の形態８との相違点を中心に説明し、同一部分または相当部分は同一符号を付し説明を省略する。図１７は、本発明の実施の形態９のランプ１Ｊを斜め基端側から見た斜視図である。図１７に示す本実施の形態９のランプ１Ｊは、実施の形態８のランプ１Ｈと比べて、基端側支持体１５ａと口金装着部２（第二部位２ｂ）とが、直接、連結固定されていること以外は、同様の構成である。
【００６３】
実施の形態１０．
次に、図１８を参照して、本発明の実施の形態１０について説明するが、上述した実施の形態９との相違点を中心に説明し、同一部分または相当部分は同一符号を付し説明を省略する。図１８は、本発明の実施の形態１０のランプ１Ｋを斜め先端側から見た斜視図である。図１８に示す本実施の形態１０のランプ１Ｋは、実施の形態９のランプ１Ｊと比べて、側面光源部３の形状が異なること以外は、同様の構成である。
【００６４】
本実施の形態１０のランプ１Ｋが備える側面光源部３の形状は、側面光源基板４に垂直な方向から見て、略楕円形であり、その長軸がランプ１Ｋの中心線に対し平行である。側面光源部３の長手方向に垂直な方向の側面光源部３の幅は、側面光源部３の長手方向の中央部分で最大であり、この中央部分から両端（側面光源部３の先端部及び基端部）に向かって漸減する。このような構成により、実施の形態７で説明した効果と同様の効果が得られる。
【００６５】
実施の形態１１．
次に、図１９を参照して、本発明の実施の形態１１について説明するが、上述した実施の形態９との相違点を中心に説明し、同一部分または相当部分は同一符号を付し説明を省略する。図１９は、本発明の実施の形態１１のランプ１Ｌを斜め先端側から見た分解斜視図である。図１９では、口金装着部２の一部及び口金８の図示を省略している。
【００６６】
図１９に示すように、本実施の形態１１のランプ１Ｌでは、ＬＥＤ光源５を実装した端面光源基板１１及び端面透光性カバー１３を有する端面光源部１０は、先端側支持体１５ｂの中央部分の表面側に取り付けられることで、先端側支持体１５ｂと一体的に設けられる。先端側支持体１５ｂの裏面側には、フィン１５ｃが、先端側支持体１５ｂと一体的に形成されている。フィン１５ｃにより、端面基板放熱体が構成される。
【００６７】
ランプ１Ｌは、基端側支持体１５ａから側面光源部３への給電経路を電気的に接続するコネクタ２１と、側面光源部３から端面光源部１０への給電経路を電気的に接続するコネクタ２２及びコネクタ２３とを備える。コネクタ２１は、基端側支持体１５ａの腕部に設けられたコネクタ要素２１ａと、側面光源部３の基端部に設けられたコネクタ要素２１ｂとからなり、コネクタ要素２１ａとコネクタ要素２１ｂとが着脱可能である。コネクタ２２は、側面光源部３の先端部に設けられたコネクタ要素２２ａと、先端側支持体１５ｂの腕部に設けられたコネクタ要素２２ｂとからなり、コネクタ要素２２ａとコネクタ要素２２ｂとが着脱可能である。コネクタ２３は、先端側支持体１５ｂの中央部分の表面側に設けられたコネクタ要素２３ａと、端面光源部１０（端面光源基板１１）の裏面（底面）側に設けられたコネクタ要素２３ｂとからなり、コネクタ要素２３ａとコネクタ要素２３ｂとが着脱可能である。例えばプラグ、ピンヘッダー、ポスト等のオス側要素と、例えばソケット、リセプタクル等のメス側要素とのいずれか一方にコネクタ要素２１ａが相当し、他方にコネクタ要素２１ｂが相当する。同様にして、上記オス側要素及びメス側要素のいずれか一方にコネクタ要素２２ａが相当し、他方にコネクタ要素２２ｂが相当する。上記オス側要素及びメス側要素のいずれか一方にコネクタ要素２３ａが相当し、他方にコネクタ要素２３ｂが相当する。コネクタ要素２２ｂの電気接点と、コネクタ要素２３ａの電気接点とは、先端側支持体１５ｂの内部に設けられた導線（図示省略）を介して導通している。
【００６８】
基端側支持体１５ａと側面光源部３とを連結固定することで、コネクタ要素２１ａ，２１ｂが結合し、コネクタ２１が導通する。側面光源部３と先端側支持体１５ｂとを連結固定することで、コネクタ要素２２ａ，２２ｂが結合し、コネクタ２２が導通する。先端側支持体１５ｂと端面光源部１０とを連結固定することで、コネクタ要素２３ａ，２３ｂが結合し、コネクタ２３が導通する。
【００６９】
コネクタ要素２１ａの電気接点には、口金装着部２内から延びた導線（図示省略）により給電される。各側面光源部３は、コネクタ２１を介して給電される。端面光源部１０は、少なくとも一つの側面光源部３の側面光源基板４から、コネクタ２２及びコネクタ２３を介して給電される。図１９では、すべての側面光源部３、及び、先端側支持体１５ｂのすべての腕部にコネクタ２２を設けているが、端面光源部１０に給電する機能を有する側面光源部３及びそれに対応する先端側支持体１５ｂの腕部のみにコネクタ２２を設けても良い。
【００７０】
本実施の形態１１では、コネクタ２１，２２，２３を設けたことで、ランプ１Ｌの組み立て時に側面光源部３及び端面光源部１０の給電経路を容易に形成できる。そのため、組立性（生産性）を向上できる。必ずしもコネクタ２１，２２，２３をすべて備える必要はなく、コネクタ２１，２２，２３のうちの一つまたは二つのみを備えても良い。その場合であっても、組立性（生産性）を向上できる。本実施の形態１１は、上述した事項以外は、実施の形態９のランプ１Ｊと同様の構成である。
【００７１】
実施の形態１２．
次に、図２０及び図２１を参照して、本発明の実施の形態１２について説明するが、上述した実施の形態８との相違点を中心に説明し、同一部分または相当部分は同一符号を付し説明を省略する。図２０は、本発明の実施の形態１２のランプ１Ｍを斜め先端側から見た斜視図である。図２１は、本発明の実施の形態１２のランプ１Ｍを斜め先端側から見た分解斜視図である。図２１では、口金装着部２の一部及び口金８の図示を省略している。
【００７２】
本実施の形態１２のランプ１Ｍは、実施の形態８のランプ１Ｈに比べて、端面光源部１０の形状が異なる。図２１に示すように、先端側支持体１５ｂの形状は、実施の形態８と同様である。すなわち、先端側支持体１５ｂの形状は、ランプ１Ｍの先端側から見たとき、中央部分から各々の側面光源部３へ向かって放射状に延びる腕部を有する形状（十字形）である。本実施の形態１２では、ランプ１Ｍの先端側から見たとき、端面光源部１０の形状は、先端側支持体１５ｂの形状に対応する形状である。すなわち、ランプ１Ｍの先端側から見たとき、端面光源部１０（端面光源基板１１及び端面透光性カバー１３）の形状は、先端側支持体１５ｂとほぼ同様の形状であり、中央部分から各々の側面光源部３へ向かって放射状に延びる腕部を有する形状（十字形）である。複数のＬＥＤ光源５は、端面光源基板１１の十字に沿って配置される。ランプ１Ｍの先端側から見たときの端面光源基板１１の形状は、先端側支持体１５ｂの外縁から食み出さない形状であることが望ましい。
【００７３】
本実施の形態１２によれば、ランプ１Ｍの先端側から見たとき、先端側支持体１５ｂの外縁から端面光源部１０が食み出す部分を、少なく、あるいは無くすことができる。そのため、実施の形態８のランプ１Ｈに比べて、先端側支持体１５ｂの腕部と腕部との間に形成される隙間を通過する空気の風量を大きくでき、放熱性をさらに向上できる。また、端面光源部１０の容積を小さくでき、軽量化できる。
【００７４】
本実施の形態１２における端面光源基板１１は、フレキシブル基板で構成される。これにより、基板自体の加工性及びランプ１Ｍの組立性を良好にできる。図２１に示すように、端面光源基板１１が、先端側支持体１５ｂの表側の面に取り付けられる。端面透光性カバー１３は、端面光源基板１１の全体を覆う形に成形されている。すなわち、端面透光性カバー１３は、端面光源部１０のすべてのＬＥＤ光源５を一括して覆うように構成されている。端面透光性カバー１３と、先端側支持体１５ｂとの接合部は、防水防湿性を有する構成とする。そのような構成としては、例えば、先端側支持体１５ｂに、端面透光性カバー１３の外周部が嵌合する取り付け溝（図示省略）を形成し、その嵌合部の周囲を例えばシリコーン系の防湿性樹脂でコーティングする構成が挙げられる。上記のようにして先端側支持体１５ｂに端面光源基板１１及び端面透光性カバー１３を取り付けたものを一つのサブアセンブリ部品として用意しておくことで、ランプ１Ｍの全体を組み立てた後に防水加工を施す必要がなくなり、組立性を向上できる。本実施の形態１２は、上述した事項以外は、実施の形態６のランプ１Ｈと同様の構成である。本実施の形態１２における端面光源基板１１は、フレキシブル基板に限らず、平面基板で構成しても良い。
【００７５】
実施の形態１３．
次に、図２２及び図２３を参照して、本発明の実施の形態１３について説明するが、上述した実施の形態８との相違点を中心に説明し、同一部分または相当部分は同一符号を付し説明を省略する。図２２は、本発明の実施の形態１３のランプ１Ｎを斜め先端側から見た斜視図である。図２３は、本発明の実施の形態１３のランプ１Ｎを斜め先端側から見た分解斜視図である。図２３では、口金装着部２の一部及び口金８の図示を省略している。
【００７６】
本実施の形態１３のランプ１Ｎは、実施の形態８のランプ１Ｈに比べて、先端側支持体１５ｂ及び端面光源部１０の形状が異なる。図２３に示すように、ランプ１Ｎの先端側から見たとき、先端側支持体１５ｂの形状は、環状である。複数の側面光源部３（側面基板放熱体６）の先端部は、環状の先端側支持体１５ｂに固定されることで、相互に連結固定される。環状の先端側支持体１５ｂで囲まれる開口２４を空気が通過可能である。開口２４は、複数の側面光源部３（側面基板放熱体６）で囲まれる空間に連通する。ランプ１Ｎの先端側から見たとき、端面光源部１０の形状は、先端側支持体１５ｂの形状に対応する形状である。すなわち、ランプ１Ｎの先端側から見たとき、端面光源部１０（端面光源基板１１及び端面透光性カバー１３）の形状は、先端側支持体１５ｂとほぼ同様の環状である。ランプ１Ｎの先端側から見たときの端面光源基板１１の形状は、先端側支持体１５ｂの外縁から食み出さない形状であることが望ましい。図示の構成では、複数のＬＥＤ光源５は、複数の側面光源部３に対応した位置に配置されているが、環状の端面光源基板１１の全周にＬＥＤ光源５を配置しても良い。
【００７７】
本実施の形態１３によれば、複数の側面光源部３（側面基板放熱体６）で囲まれる空間に、開口２４から空気が出入りすることで、側面基板放熱体６及び端面基板放熱体１２での空気対流等による放熱効果を高めることができ、優れた放熱性が得られる。ランプ１Ｎの先端側から見たとき、開口２４の面積は、複数の側面光源部３（側面基板放熱体６）で囲まれる空間の断面積に匹敵する、大きい面積にできる。そのため、開口２４を通過する空気の風量を大きくでき、放熱性を十分に向上できる。
【００７８】
本実施の形態１３における端面光源基板１１は、フレキシブル基板で構成される。これにより、基板自体の加工性及びランプ１Ｎの組立性を良好にできる。図２３に示すように、端面光源基板１１が、先端側支持体１５ｂの表側の面に取り付けられる。端面透光性カバー１３は、端面光源基板１１の全体を覆う形に成形されている。すなわち、端面透光性カバー１３は、端面光源部１０のすべてのＬＥＤ光源５を一括して覆うように構成されている。端面透光性カバー１３と、先端側支持体１５ｂとの接合部は、防水防湿性を有する構成とする。そのような構成としては、例えば、先端側支持体１５ｂに、端面透光性カバー１３の外周部が嵌合する取り付け溝（図示省略）を形成し、その嵌合部の周囲を例えばシリコーン系の防湿性樹脂でコーティングする構成が挙げられる。上記のようにして先端側支持体１５ｂに端面光源基板１１及び端面透光性カバー１３を取り付けたものを一つのサブアセンブリ部品として用意しておくことで、ランプ１Ｎの全体を組み立てた後に防水加工を施す必要がなくなり、組立性を向上できる。本実施の形態１３は、上述した事項以外は、実施の形態６のランプ１Ｈと同様の構成である。本実施の形態１３における端面光源基板１１は、フレキシブル基板に限らず、平面基板で構成しても良い。
【００７９】
実施の形態１４．
次に、図２４及び図２５を参照して、本発明の実施の形態１４について説明するが、上述した実施の形態１３との相違点を中心に説明し、同一部分または相当部分は同一符号を付し説明を省略する。図２４は、本発明の実施の形態１４のランプ１Ｐを斜め先端側から見た斜視図である。図２５は、本発明の実施の形態１４のランプ１Ｐの一部の構成要素を斜め先端側から見た分解斜視図である。図２５では、口金装着部２の一部、口金８等の図示を省略している。
【００８０】
図２５に示すように、本実施の形態１４のランプ１Ｐの先端側支持体１５ｂの形状は、実施の形態１３と同じく、環状である。側面光源基板４と端面光源基板１１とは、共通のフレキシブル基板により形成されることで繋がっており、屈曲部２６にて折り曲げられている。ランプ１Ｐは、上記フレキシブル基板により形成される側面光源基板４及び端面光源基板１１のすべてのＬＥＤ光源５を覆い、かつ透光性及び防水防湿性を有する透光性カバー２５を備える。透光性カバー２５の材質などの詳細は、前述した側面透光性カバー７及び端面透光性カバー１３と同様である。図２５は、ランプ１Ｐが備える４組の側面光源部３、端面光源部１０及び透光性カバー２５のうちの一組のみを示している。図２４に示すように、本実施の形態１４では、端面光源部１０が、複数の側面光源部３に対応した位置に、分散して配置される。
【００８１】
本実施の形態１４によれば、側面光源基板４と端面光源基板１１とが共通のフレキシブル基板により形成されているので、端面光源基板１１に実装されるＬＥＤ光源５への給電を、側面光源基板４を介して容易に行うことができる。また、光源基板の種類を一種類に統一できるので、部品点数が少なく、組立性の良いランプ１Ｐが得られる。また、実施の形態１３と同様に、複数の側面光源部３（側面基板放熱体６）で囲まれる空間に、開口２４から空気が出入りすることで、側面基板放熱体６及び端面基板放熱体１２での空気対流等による放熱効果を高めることができ、優れた放熱性が得られる。
【００８２】
以上、本発明の実施の形態について説明したが、本発明では、上述した複数の実施の形態の特徴を任意に組み合わせて実施することが可能である。
【符号の説明】
【００８３】
１Ａ，１Ｂ，１Ｃ，１Ｄ，１Ｅ，１Ｆ，１Ｇ，１Ｈ，１Ｊ，１Ｋ，１Ｌ，１Ｍ，１Ｎ，１Ｐ  ランプ、２，９  口金装着部、２ａ  第一部位、２ｂ  第二部位、３  側面光源部、４  側面光源基板、５  ＬＥＤ光源、６  側面基板放熱体、７  側面透光性カバー、８  口金、１０  端面光源部、１１  端面光源基板、１２  端面基板放熱体、１３  端面透光性カバー、１４  支柱、１５ａ  基端側支持体，１５ｂ  先端側支持体、１６，１７  隙間、１８  支柱、２０  反射体、２１，２２，２３  コネクタ、２１ａ，２１ｂ，２２ａ，２２ｂ，２３ａ，２３ｂ  コネクタ要素、２４  開口、２５  透光性カバー、２６  屈曲部、９１  基端側支持体、９２  凹部、１００  ランプ
【図１】
2015079744.tif 000003
【図２】
2015079744.tif 000004
【図３】
2015079744.tif 000005
【図４】
2015079744.tif 000006
【図５】
2015079744.tif 000007
【図６】
2015079744.tif 000008
【図７】
2015079744.tif 000009
【図８】
2015079744.tif 000010
【図９】
2015079744.tif 000011
【図１０】
2015079744.tif 000012
【図１１】
2015079744.tif 000013
【図１２】
2015079744.tif 000014
【図１３】
2015079744.tif 000015
【図１４】
2015079744.tif 000016
【図１５】
2015079744.tif 000017
【図１６】
2015079744.tif 000018
【図１７】
2015079744.tif 000019
【図１８】
2015079744.tif 000020
【図１９】
2015079744.tif 000021
【図２０】
2015079744.tif 000022
【図２１】
2015079744.tif 000023
【図２２】
2015079744.tif 000024
【図２３】
2015079744.tif 000025
【図２４】
2015079744.tif 000026
【図２５】
2015079744.tif 000027